(57)【要約】【課題】直流キュービクルに、保安上、２本の接地線を設けた場合であっても、直流キュービクル内の故障の予兆を捉えるための微小電流を検出することができる地絡電流検出装置を提供する。【解決手段】直流機器が収納された直流キュービクル１の下部に敷設され、当該直流キュービクル１と大地ＥＴ１１との間を絶縁する絶縁材２と、直流キュービクル１の接地母線ＥＢ１１を大地ＥＴ１１に接続する２本の接地線３と、２本の接地線３に流れる地絡電流を一箇所で検出する電流検出手段４と、を備える。【選択図】図１
2015226357.tif 000002
【特許請求の範囲】
【請求項１】
直流機器が収納された直流キュービクルの下部に敷設され、当該直流キュービクルと大地との間を絶縁する絶縁材と、
前記直流キュービクルの接地母線を大地に接続する２本の接地線と、
前記２本の接地線にそれぞれ流れる地絡電流を一箇所で検出する電流検出手段と、
を備えたことを特徴とする地絡電流検出装置。
【請求項２】
前記２本の接地線は、前記絶縁材を貫通して大地に接続することを特徴とする請求項１に記載の地絡電流検出装置。
【請求項３】
前記接地母線は、前記直流キュービクルの長手方向に敷設され、
前記２本の接地線は、前記接地母線の両端に接続されることを特徴とする請求項１又は２に記載の地絡電流検出装置。
【請求項４】
前記電流検出手段は、貫通型の直流変流器であり、当該直流変流器の貫通孔の中心に前記２本の接地線を配線することで地絡電流を一箇所で検出することを特徴とする請求項１から３のいずれか一項に記載の地絡電流検出装置。
【請求項５】
２つの部材により前記貫通孔に配線された前記２本の接地線を挟持すると共に、前記貫通孔に嵌合されることにより、前記２本の接地線を前記貫通孔の中心に固定する固定部材を有することを特徴とする請求項４に記載の地絡電流検出装置。
【請求項６】
前記固定部材は、前記貫通孔に嵌合した時に前記貫通孔の縁に掛止する突起部を備えたことを特徴とする請求項５に記載の地絡電流検出装置。
【請求項７】
直流機器が収納された直流キュービクルの下部に、当該直流キュービクルと大地との間を絶縁する絶縁材を敷設する絶縁工程と、
前記直流キュービクルの接地母線を２本の接地線で大地に接続する接地工程と、
前記２本の接地線を、前記２本の接地線にそれぞれ流れる地絡電流を一箇所で検出する電流検出手段に配線する配線工程と、
を含むことを特徴とする地絡電流検出装置の施工方法。
【発明の詳細な説明】
【技術分野】
【０００１】
本発明は、直流変電所における地絡電流検出装置及び地絡電流検出装置の施工方法に関する。
【背景技術】
【０００２】
電鉄用直流変電所等では、直流機器が収納された直流キュービクルにおいて、収納された整流器によって三相交流電圧を直流電圧に変換し、直流高速度遮断器により電車線に送電している。このような直流キュービクルで地絡が発生した場合には、当該地絡時に発生する電圧を、直流高圧接地継電器により検出して、直流高速度遮断器で直流電圧及び電流を遮断することにより、地絡事故から直流変電所を保護している。
【０００３】
但し、従来の直流高圧接地継電器による直流変電所の保護において、高抵抗地絡等の不完全な地絡では、直流高圧接地継電器側の電圧上昇が小さく、直流高圧接地継電器は動作しない。このため、電圧検出以外の地絡電流を検出することにより、冗長性を持たせることが求められる。
【０００４】
このような地絡電流の検出に関して、整流器や直流高速度遮断器の筐体である直流キュービクル等に設けられた接地線に流れる地絡電流を直流変流器で検出して地絡事故を検出し、直流高速度遮断器で直流電圧及び電流を遮断することにより、地絡事故から直流変電所を保護する装置が開示されている（特許文献１及び２参照）。
【０００５】
一般に、直流キュービクルに設けられる接地線は、１本ではなく、２本の接地線を設け、それぞれの地絡線に流れる地絡電流を２つの直流変流器で監視することにより、直流キュービクル内の接地母線の断線や、接地線自体の断線等が発生した場合であっても、一方の接地線に流れる地絡電流を直流変流器で検出することができ、地絡事故から直流変電所を保護することが保安上求められる。
【先行技術文献】
【特許文献】
【０００６】
【特許文献１】特開２００４−１９４４７１号公報
【特許文献２】特開２０１０−０４１８９２号公報
【発明の概要】
【発明が解決しようとする課題】
【０００７】
しかしながら、直流キュービクルに設けられる接地線を２本にすると、直流変電所における迷走電流、整流時の脈流成分である交流電流、近接する交流ケーブルにより誘導される誘導電流等が、一つの接地線を介して直流キュービクルに流れ込み、また他の接地線を介して、直流キュービクルと鉄筋などの躯体との電気的なつながりによって大地に流れ出す場合があり、当該接地線を流れる地絡電流を検出する際の非対称な電流やノイズとなってしまう。
【０００８】
このようなネット状回路の電流の中の２本の配線は、理想的には、２つの直流変流器で検出された地絡電流を相殺することにより除去できるはずであるが、実際には、２つの直流変流器間のネット状回路の電流の非対称性や変流器の特性のばらつき等により、真の漏洩電流と地絡電流を検出することができない。
【０００９】
このため、直流キュービクル内の故障の予兆を捉えるために、２本の接地線に流れる数ｍＡ程度の微小電流を検出しようとした場合、当該微小電流は迷走電流等に起因するノイズに埋もれて検出できず、直流キュービクル内の故障の予兆を捉えることができないといった問題点があった。
【００１０】
本発明の課題は、直流キュービクルに、保安上、２本の接地線を設けた場合であっても、直流キュービクル内の故障の予兆を捉えるための微小電流を検出することができる地絡電流検出装置及び地絡電流検出装置の施工方法を提供することにある。
【課題を解決するための手段】
【００１１】
上記課題を達成するため、この発明は、
直流機器が収納された直流キュービクルの下部に敷設され、当該直流キュービクルと大地との間を絶縁する絶縁材と、
前記直流キュービクルの接地母線を大地に接続する２本の接地線と、
前記２本の接地線にそれぞれ流れる地絡電流を一箇所で検出する電流検出手段と、
を備えるようにしたものである。
【００１２】
直流機器が収納された直流キュービクルの下部に当該直流キュービクルと大地との間を絶縁する絶縁材を敷設し、２本の接地線で直流キュービクルの接地母線を大地に接続し、１つの電流検出手段で２本の接地線にそれぞれ流れる地絡電流を一箇所で検出することにより、直流キュービクルに、保安上、２本の接地線を設けた場合であっても、流れ込む迷走電流と、流れ出す迷走電流とは打ち消されて相殺されるので、ノイズを低減することができ、直流キュービクル内の故障の予兆を捉えるための微小電流を検出することができる。
【００１３】
また、望ましくは、前記２本の接地線は、前記絶縁材を貫通して大地に接続するようにしたものである。
絶縁材を貫通させて大地に接地することにより、接地線を絶縁材上に敷設する必要がなくなるので、２本の接地線をできるだけ短い経路で施工することができる。
【００１４】
また、望ましくは、前記接地母線は、前記直流キュービクルの長手方向に敷設され、前記２本の接地線は、前記接地母線の両端に接続されるようにしたものである。
２本の接地線により接地母線を接地する場合、２本の接地線の一端は、接地母線の両端にそれぞれ接続することにより、直流キュービクル内の接地母線が断線した場合であっても、直流キュービクルで発生した地絡電流は、どちらか一方の接地線を介して大地に流れるので、確実に直流変電所を保護することができる。
【００１５】
また、望ましくは、前記電流検出手段は、貫通型の直流変流器であり、当該直流変流器の貫通孔の中心に前記２本の接地線を配線することで地絡電流を一箇所で検出するようにしたものである。
２本の接地線を、直流変流器の貫通孔の中心に配線するほどノイズを低減することができ、直流キュービクル内の故障の予兆を捉えるための微小電流を検出することができる。
【００１６】
また、望ましくは、２つの部材により前記貫通孔に配線された前記２本の接地線を挟持すると共に、前記貫通孔に嵌合されることにより、前記２本の接地線を前記貫通孔の中心に固定する固定部材を有するようにしたものである。
地絡電流検出装置の施工の際に、２つの部材から構成される固定部材を用い、直流変流器の貫通孔に配線された２本の接地線を、両側から挟み込み、貫通孔に挿入することにより、２本の接地線を直流変流器の貫通孔の中心に確実に固定することができるので、ノイズを低減することができ、直流キュービクル内の故障の予兆を捉えるための微小電流を検出することができる。
【００１７】
また、望ましくは、前記固定部材は、前記貫通孔に嵌合した時に前記貫通孔の縁に掛止する突起部を備えるようにしたものである。
地絡電流検出装置の施工の際に、固定部材を用い、直流変流器の貫通孔に配線された２本の接地線を、両側から挟み込み、貫通孔に挿入する際に、突起部によって、直流変流器の貫通孔に確実に固定することができるので、ノイズを低減することができ、直流キュービクル内の故障の予兆を捉えるための微小電流を検出することができる。
【００１８】
また、本出願の他の発明は、
直流機器が収納された直流キュービクルの下部に、当該直流キュービクルと大地との間を絶縁する絶縁材を敷設する絶縁工程と、
前記直流キュービクルの接地母線を２本の接地線で大地に接続する接地工程と、
前記２本の接地線を、前記２本の接地線にそれぞれ流れる地絡電流を一箇所で検出する電流検出手段に配線する配線工程と、
を含むようにしたものである。
【００１９】
直流機器が収納された直流キュービクルの下部に当該直流キュービクルと大地との間を絶縁する絶縁材を敷設する絶縁工程と、２本の接地線で直流キュービクルの接地母線を大地に接続する接地工程と、前記２本の接地線を、前記２本の接地線にそれぞれ流れる地絡電流を一箇所で検出する電流検出手段に配線する配線工程と、を含むことにより、直流キュービクルに、保安上、２本の接地線を設けた場合であっても、流れ込む迷走電流と、流れ出す迷走電流とは打ち消されて相殺されるので、ノイズを低減することができ、直流キュービクル内の故障の予兆を捉えるための微小電流を検出することができる地絡電流検出装置の施工をすることができる。
【発明の効果】
【００２０】
本発明によれば、直流機器が収納された直流キュービクルの下部に当該直流キュービクルと大地との間を絶縁する絶縁材を敷設し、２本の接地線で直流キュービクルの接地母線を大地に接続し、１つの電流検出手段で２本の接地線にそれぞれ流れる地絡電流を一箇所で検出することにより、直流キュービクルに、保安上、２本の接地線を設けた場合であっても、流れ込む迷走電流と、流れ出す迷走電流とは打ち消されて相殺されるので、ノイズを低減することができ、直流キュービクル内の故障の予兆を捉えるための微小電流を検出することができる。
【図面の簡単な説明】
【００２１】
【図１】本実施の形態に係る地絡電流検出装置の構成の一例を示す概略構成図である。
【図２】本実施の形態に係る地絡電流検出装置の動作を説明する説明図である。
【図３】比較例である地絡電流検出装置の動作を説明する説明図である。
【図４】比較例の検出波形の一例を示す説明図である。
【図５】比較例の検出波形の他の一例を示す説明図である。
【図６】本実施の形態に係る地絡電流検出装置の検出波形の一例を示す説明図である。
【図７】本実施の形態に係る地絡電流検出装置の接地母線の詳細を説明する説明図である。
【図８】本実施の形態に係る地絡電流検出装置の接地線の配線位置による誤差の一例を示す説明図である。
【図９】本実施の形態に係る地絡電流検出装置の接地線を固定する固定部材の一例を示す説明図である。
【発明を実施するための形態】
【００２２】
［１．構成の説明］
以下、図面を参照しつつ、本発明の実施形態である地絡電流検出装置を詳細に説明する。但し、発明の範囲は、図示例に限定されない。
【００２３】
（実施形態）
本発明の実施形態の地絡電流検出装置の構成について図１を参照して説明する。図１は、地絡電流検出装置の構成の一例を示す概略構成図である。
図１に示すように、地絡電流検出装置１００（以下、単に装置１００と呼ぶ。）は、直流キュービクル１、絶縁材２、２本の接地線３、電流検出手段である直流変流器４を有する。
【００２４】
直流キュービクル１は、母線ＢＳ１１に並列接続された断路器ＤＣ１１、直流高速度遮断器ＣＢ１１及びＣＢ１２、避雷器（図示せず）等の直流機器を、箱型の金属容器に収納したものであり、例えば、電鉄用直流変電所等であっては直流１５００Ｖの電圧を送出し、地絡事故や過負荷時には、直流高速度遮断器ＣＢ１１及びＣＢ１２等によって直流１５００Ｖの電圧及び電流を遮断することにより、直流変電所を保護する。
ちなみに、図１においては、３個の箱型の金属容器から直流キュービクル１が構成されているが、直流変電所の規模によっては数十個の箱型の金属容器から直流キュービクル１が構成される。
【００２５】
絶縁材２は、このような直流機器が収納された直流キュービクル１の下部に敷設され、直流キュービクル１と大地ＥＴ１１との間を絶縁することにより、直流キュービクル１と大地ＥＴ１１との間に流れる地絡電流の流れるルートを２本の接地線３に制限させる。
【００２６】
接地線３は、直流キュービクル１の長手方向に敷設された接地母線ＥＢ１１を大地ＥＴ１１に接続するケーブル等であり、例えば、直流キュービクル１内で地絡により発生する地絡電流や、直流機器の絶縁劣化に起因する地絡電流（漏洩電流）が、接地母線ＥＢ１１に流れ込んだ場合に、当該地絡電流を大地ＥＴ１１に流す。
具体的には、２本の接地線３の一端は、接地母線ＥＢ１１の両端にそれぞれ接続され、２本の接地線３の他端が、大地ＥＴ１１に接続（接地）される。また、２本の接地線３の中間部分はそれぞれ、１つの直流変流器４の貫通孔の中心に通される。
ちなみに、接地線３は、接地線３を絶縁材２上に敷設するのではなく、接地母線ＥＢ１１の両端部分で絶縁材２を貫通させて、１つの直流変流器４の貫通孔を通して大地ＥＴ１１に接地することにより、２本の接地線３を、できるだけ短い経路で施工することができる。
【００２７】
直流変流器４は、２本の接地線３に流れる直流電流を一箇所で高精度に検出する機器である。
具体的には、リングコアを励磁回路により常時励磁状態に保ち、検出回路とフィードバック回路を、バランス回路によりバランスさせておく。そして、リングコア内を通した２本の接地線３に直流電流（地絡電流）を流がれると、フィードバック回路のバランスが崩れるが、バランス回路が、検出回路とフィードバック回路とがバランスするように制御する。この制御の際に必要な信号の大きさが当該直流電流（地絡電流）の大きさに比例することを利用して、リングコア内を通した２本の接地線３に流れる直流電流（地絡電流）の値を検出する。
また、直流変流器４には、極性があり、直流電流（地絡電流）の流れる方向に応じて、正の電流値、或いは、負の電流値として検出される。例えば、当該極性と同じ方向に直流電流（地絡電流）が流れる場合は、正の電流値として検出され、一方、当該極性と逆方向に直流電流（地絡電流）が流れる場合は、負の電流値として検出される。
【００２８】
このような、直流変流器４の出力である電流検出信号は、制御手段である検出器ＤＴ１１に入力され、検出器ＤＴ１１は、例えば、入力された電流検出信号の値が、予め設定された閾値を超過した場合、地絡が発生したと判断し、直流高速度遮断器ＣＢ１１及びＣＢ１２等によって直流１５００Ｖの電圧及び電流を遮断させるように制御する。
【００２９】
［２．地絡電流検出装置の動作の説明］
地絡電流検出装置１００の動作を図２及び図３を参照して説明する。
図２は、地絡電流検出装置１００の動作を説明する説明図であり、図２（ａ）は、接地線３に地絡電流以外の迷走電流等が流れた場合を示す説明図、図２（ｂ）は、接地線３に地絡電流が流れた場合を示す説明図である。
【００３０】
また、図３は、比較例である地絡電流検出装置の動作を説明する説明図である。図３に示す比較例である地絡電流検出装置１０１の基本的な構成は、装置１００と同じであり、異なる点は、２本の接地線３に流れる直流電流を１つの直流変流器４で検出するのではなく、２本の接地線３に流れる直流電流の電流値を、２つの直流変流器４でそれぞれ別個に検出する点である。
【００３１】
図３の比較例に示すように、例えば、地絡電流以外の迷走電流ＣＴ３１が、大地ＥＴ１１から一方の接地線３を介して直流キュービクル１に流れ込み、接地母線ＥＢ１１を流れ、他方の接地線３を介して再び大地ＥＴ１１に流れ出す場合が想定される。
そして、上述の通り、２つの直流変流器４で検出された迷走電流ＣＴ３１の電流値を相殺したとしても、２つの直流変流器４間の特性のばらつき等により、当該迷走電流ＣＴ３１の影響を除去することはできずバックグラウンドのノイズとして残ってしまう。
【００３２】
例えば、図４は、装置１０１の２つの直流変流器４における検出波形の一例を示す説明図であり、図５は、装置１０１の２つの直流変流器４における検出波形の他の一例を示す説明図である。
【００３３】
図４は、直流キュービクル１と大地ＥＴ１１との間に絶縁材２を敷設しない場合であり、検出波形ＣＴ４１及び検出波形ＣＴ４２は、装置１０１の２つの直流変流器４におけるそれぞれの検出波形であり、検出波形ＣＴ４３は、検出波形ＣＴ４１と検出波形ＣＴ４２とが示す電流値を加算した波形である。
図４における波形ＣＴ４３から分かるように、直流キュービクル１と大地ＥＴ１１との間に絶縁材２を敷設しない場合、±２００ｍＡ以上のノイズとして残ってしまう。
これは、２つの直流変流器４間の特性のばらつき等のみならず、絶縁材２を敷設しないことにより、迷走電流ＣＴ３１が流れるルートを２本の接地線３に制限させることができないためである。
【００３４】
また、図５は、直流キュービクル１と大地ＥＴ１１との間に絶縁材２を敷設した場合であり、検出波形ＣＴ５１及び検出波形ＣＴ５２は、装置１０１の２つの直流変流器４におけるそれぞれの検出波形であり、検出波形ＣＴ５３は、検出波形ＣＴ５１と検出波形ＣＴ５２とが示す電流値を加算した波形である。
図５における波形ＣＴ５３から分かるように、直流キュービクル１と大地ＥＴ１１との間に絶縁材２を敷設した場合、図４と比較して改善されているものの、８ｍＡ程度のノイズとして残ってしまう。
【００３５】
これに対して、図２（ａ）に示すように、装置１００では、１つの直流変流器４により２本の接地線３に流れる直流電流を検出する構成のため、比較例と同様に、地絡電流以外の迷走電流ＣＴ２１が、大地ＥＴ１１から一方の接地線３を介して直流キュービクル１に流れ込み、接地母線ＥＢ１１を流れ、他方の接地線３を介して再び大地ＥＴ１１に流れ出す場合、流れ込む迷走電流ＣＴ２１と、流れ出す迷走電流ＣＴ２１とは打ち消されて相殺されてしまいノイズにならない。また、１つの直流変流器４で電流値を検出するため、比較例のような特性のばらつき等の問題は発生しない。
【００３６】
例えば、図６は、本実施の形態に係る地絡電流検出装置の検出波形の一例を示す説明図である。
【００３７】
図６において、検出波形ＣＴ６１は、装置１００の１つの直流変流器４における検出波形であり、波形ＣＴ６２は、検出器ＤＴ１１において、検出波形ＣＴ６１に対して、１秒間に１ｍＡの変化が継続した場合に、１ｍＡとして出力するマスク処理を施した波形である。
図６における検出波形ＣＴ６１から分かるように、１つの直流変流器４により２本の接地線３に流れる直流電流を検出することにより、±３〜４ｍＡ程度のノイズまで低減され、検出器ＤＴ１１において上述のマスク処理を施すことにより、殆ど１ｍＡ以下のノイズに低減することができる。
【００３８】
一方、図２（ｂ）に示すように、地絡ＳＴ２１が発生した場合には、地絡電流ＣＴ２２及びＣＴ２３は、それぞれ２本の接地線３を介して大地ＥＴ１１に流れ出す。この際、装置１００では、１つの直流変流器４により２本の接地線３に流れる直流電流を検出する構成のため、流れ出す地絡電流ＣＴ２２及びＣＴ２３は、打ち消されることなく確実に検出される。
【００３９】
すなわち、装置１００では、１つの直流変流器４により２本の接地線３に流れる直流電流を検出する構成のため、流れ込む迷走電流ＣＴ２１と、流れ出す迷走電流ＣＴ２１とは打ち消されて相殺されてしまい、１ｍＡ以下のノイズに低減することができるので、直流機器の絶縁劣化に起因する電流値の小さな地絡電流（例えば、数ｍＡ程度）であっても検出可能である。
【００４０】
以上のように、直流機器が収納された直流キュービクル１の下部に当該直流キュービクル１と大地ＥＴ１１との間を絶縁する絶縁材２を敷設し、２本の接地線３で直流キュービクル１の接地母線ＥＢ１１を大地ＥＴ１１に接続し、１つの直流変流器４で２本の接地線３にそれぞれ流れる地絡電流を一箇所で検出することにより、直流キュービクル１に、保安上、２本の接地線３を設けた場合であっても、流れ込む迷走電流と、流れ出す迷走電流とは打ち消されて相殺されるので、ノイズを低減することができ、直流キュービクル１内の故障の予兆を捉えるための微小電流を検出することができる。
【００４１】
なお、本発明の実施形態等の説明に際しては、２本の接地線３の一端は、接地母線ＥＢ１１の両端にそれぞれ接続され、２本の接地線３の他端が、大地ＥＴ１１に接続（接地）されているが、これは、直流キュービクル１内の接地母線ＥＢ１１の断線に対応するためである。
例えば、図７は、直流キュービクル１内の接地母線ＥＢ１１の詳細を説明する説明図であり、３個の箱型の金属容器ＣＢ７１、ＣＢ７２及びＣＢ７３内には、それぞれの金属容器の接地母線ＥＢ７１、ＥＢ７２及びＥＢ７３が、金属容器の長手方向に設けられている。
そして、直流キュービクル１の施工時に、接地母線ＥＢ７１と接地母線ＥＢ７２とを、ボンド線ＢＮ７１によって電気的に接続し、接地母線ＥＢ７２と接地母線ＥＢ７３とを、ボンド線ＢＮ７２によって電気的に接続することにより、直流キュービクル１の全体としての接地母線ＥＢ１１が直流キュービクルの長手方向に敷設される。
【００４２】
このため、２本の接地線３により接地母線ＥＢ１１を接地する場合、２本の接地線３の一端を接地母線ＥＢ１１の両端にそれぞれ接続することにより、ボンド線ＢＮ７１若しくはボンド線ＢＮ７２が断線した場合であっても、直流キュービクル１で発生した地絡電流は、どちらか一方の接地線３を介して大地ＥＴ１１に流れるため、確実に直流変電所を保護することができる。
【００４３】
また、２本の接地線３を直流変流器４の貫通孔に配線する際には、ノイズを低減するために、貫通孔の中心に配線することが望ましい。
例えば、図８は、本実施の形態に係る地絡電流検出装置の接地線の配線位置による誤差の一例を示す説明図である。
図８中の楕円形は、直流変流器４の貫通孔の形状を示しており、縦軸及び横軸は、２本の接地線３を配線した貫通孔の位置を示している。
また、図８中、「丸の中に×印」は、接地線３を流れる電流が、図面手前から図面裏面に向けて流れることを示し、一方、「丸の中に点」は、接地線３を流れる電流が、図面裏面から図面手前に向けて流れることを示している。
さらに、「丸の中に×印」及び「丸の中に点」の近傍の数値は、２本の接地線３を当該位置に配線した場合のノイズの電流値（ｍＡ）を示している。
【００４４】
図８から分かるように、例えば、ＰＳ８１の位置に２本の接地線３を配線した場合、ノイズは、０．２ｍＡ程度であり、同様にＰＳ８２の位置に２本の接地線３を配線した場合、ノイズは、１．４ｍＡ程度である。このため、貫通孔の中心ほどノイズが小さくなっており、２本の接地線３を直流変流器４の貫通孔に配線する際には、ノイズを低減するために、貫通孔の中心に配線することが望ましいことが分かる。
【００４５】
また、２本の接地線３を直流変流器４の貫通孔の中心に確実に配線するため、施工時等において固定部材を用いることが望ましい。
例えば、図９は、本実施の形態に係る地絡電流検出装置の接地線を固定する固定部材の一例を示す説明図である。
図９に示すように、固定部材ＰＴは２つの部材ＰＴ９１及びＰＴ９２から構成され、直流変流器４の貫通孔ＨＬ９１に配線された２本の接地線３を、部材ＰＴ９１及びＰＴ９２でＳＤ９１及びＳＤ９２に示すように両側から挟み込み、ＩＮ９１に示すように貫通孔ＨＬ９１に挿入する。
ちなみに、部材ＰＴ９１及びＰＴ９２で、２本の接地線３を両側から挟み込んだ状態で、２本の接地線３が固定部材ＰＴの中心に固定されると共に、当該状態における２本の接地線に対する垂直面の形状が、貫通孔ＨＬ９１と略同じ形状であるので、容易に貫通孔ＨＬ９１に挿入することができ、２本の接地線３を直流変流器４の貫通孔の中心に確実に固定することができる。
すなわち、装置１００の施工の際に、２つの部材ＰＴ９１及びＰＴ９２から構成される固定部材ＰＴを用い、直流変流器４の貫通孔ＨＬ９１に配線された２本の接地線３を、両側から挟み込み、貫通孔ＨＬ９１に挿入することにより、２本の接地線３を直流変流器４の貫通孔の中心に確実に固定することができるので、ノイズを低減することができる。
【００４６】
また、２本の接地線３を直流変流器４の貫通孔の中心に確実に固定するための固定部材は、当該貫通孔に挿入した時に貫通孔の縁に引っかかって、それ以上挿入できない突起部を備えることが望ましい。
例えば、図９に示すように、固定部材ＰＴを構成する部材ＰＴ９１及びＰＴ９２に突起ＧＤ９１及びＧＤ９２を設けて、直流変流器４の貫通孔ＨＬ９１に配線された２本の接地線３を、両側から挟み込み、貫通孔ＨＬ９１に挿入した時に、突起ＧＤ９１及びＧＤ９２で形成される突起部ＧＤが、貫通孔ＨＬ９１の縁に引っかかって、それ以上挿入できなくなるようにする。
すなわち、装置１００の施工の際に、固定部材ＰＴを用い、直流変流器４の貫通孔ＨＬ９１に配線された２本の接地線３を、両側から挟み込み、貫通孔ＨＬ９１に挿入する際に、突起ＧＤ９１及びＧＤ９２で形成される突起部ＧＤによって、必要以上に貫通孔ＨＬ９１に入り込むことなく、直流変流器４の貫通孔に２本の接地線３を確実に固定することがきる。
ちなみに、図９に示す突起部ＧＤは、貫通孔ＨＬ９１の縁に沿って連続して形成されているが、貫通孔ＨＬ９１の縁に引っかかって、それ以上挿入できなくなる機能を実現できれば、突起部ＧＤは、部分的に形成されるものであっても良い。
【符号の説明】
【００４７】
１  直流キュービクル
２  絶縁材
３  接地線
４  直流変流器（電流検出手段）
ＤＴ１１  検出器
ＢＳ１１  母線
ＥＢ１１  接地母線
ＥＴ１１  大地
ＰＴ  固定部材
ＧＤ  突起部
【図１】
2015226357.tif 000003
【図２】
2015226357.tif 000004
【図３】
2015226357.tif 000005
【図６】
2015226357.tif 000006
【図７】
2015226357.tif 000007
【図８】
2015226357.tif 000008
【図９】
2015226357.tif 000009
【図４】
2015226357.tif 000010
【図５】
2015226357.tif 000011